(57)【要約】【課題】インクジェットプリンタによって片方向出力方式で画像出力した場合でも双方向出力方式で画像出力した場合でも画像の色再現性を同じようにすること。【解決手段】パターンデータをテストパターン発生器１０８からドライバ回路２０に出力する工程と、パターンデータに従ってパターン画像を出力する工程と、パターン画像を測色計１０４によって測定し、得られた出力濃度をＲＡＭ１０３に記録していく工程と、出力濃度及び基準特性テーブルから、テスト出力時にテストパターン発生器１０８からドライバ回路２０に入力された入力レベルと基準特性テーブルの入力レベルとの対応関係を表した修正テーブルを求める工程と、修正テーブルから標準階調補正テーブルを新たな階調補正テーブルに補正する工程と、をＹＭＣＫの片方向出力方式及び双方向出力方式それぞれについて行う。【選択図】              図２
2004299056.tif 000002
【特許請求の範囲】
【請求項１】
往復移動可能なヘッドによる画像出力方式として双方向出力方式又は片方向出力方式の何れかを選択して画像を出力するインクジェットプリンタに対して出力する画像データを生成するための補正処理を行う時に用いる補正テーブルを作成する画像処理方法であって、
目標となる階調特性を示す階調補正テーブルと、双方向出力方式で出力する前記インクジェットプリンタの本来の基準特性を示したテーブルであって入力レベルに対する出力レベルの対応関係を示した双方向用基準特性テーブルと、片方向出力方式で出力する前記インクジェットプリンタの本来の基準特性を示したテーブルであって入力レベルに対する出力レベルの対応関係を示した片方向用基準特性テーブルと、を前記インクジェットプリンタで用いるそれぞれの色について記録し、
テストパターンデータに基づき前記インクジェットプリンタによって双方向出力方式で出力したテストパターン画像を測定し得られた双方向測定データを入力し、前記双方向用基準特性テーブル、前記双方向測定データ及び前記階調補正テーブルに基づき、双方向出力方式で出力する前記インクジェットプリンタに対して画像データを出力するために補正を行う時に用いる双方向用補正テーブルを作成する工程と、
テストパターンデータに基づき前記インクジェットプリンタによって片方向出力方式で出力したテストパターン画像を測定し得られた片方向測定データを入力し、前記片方向用基準特性テーブル、前記片方向測定データ及び前記階調補正テーブルに基づき、片方向出力方式で出力する前記インクジェットプリンタに対して画像データを出力するために補正を行う時に用いる片方向用補正テーブルを作成する工程と、を前記インクジェットプリンタで用いるそれぞれの色について行う
ことを特徴とする画像処理方法。
【請求項２】
往復移動可能なヘッドによる片方向画像出力方式として片方向往動出力方式又は片方向復動出力方式の何れかを選択して画像を出力するインクジェットプリンタに対して出力する画像データを生成するための補正処理を行う時に用いる補正テーブルを作成する画像処理方法であって、
目標となる階調特性を示す階調補正テーブルと、往動中のヘッドで出力する前記インクジェットプリンタの本来の基準特性を示したテーブルであって入力レベルに対する出力レベルの対応関係を示した往動用基準特性テーブルと、復動中のヘッドで出力する前記インクジェットプリンタの本来の基準特性を示したテーブルであって入力レベルに対する出力レベルの対応関係を示した復動用基準特性テーブルと、を前記インクジェットプリンタで用いるそれぞれの色について記録し、
テストパターンデータに基づき前記インクジェットプリンタによって片方向往動出力方式で出力したテストパターン画像を測定し得られた往動測定データを入力し、前記往動用基準特性テーブル、前記往動測定データ及び前記階調補正テーブルに基づき、片方向往動出力方式で出力する前記インクジェットプリンタに対して画像データを出力するために補正を行う時に用いる往動用補正テーブルを作成する工程と、
テストパターンデータに基づき前記インクジェットプリンタによって片方向復動出力方式で出力したテストパターン画像を測定し得られた復動測定データを入力し、前記復動用基準特性テーブル、前記復動測定データ及び前記階調補正テーブルに基づき、片方向復動出力方式で出力する前記インクジェットプリンタに対して画像データを出力するために補正を行う時に用いる復動用補正テーブルを作成する工程と、を前記インクジェットプリンタで用いるそれぞれの色について行う
ことを特徴とする画像処理方法。
【請求項３】
往復移動可能なヘッドによる画像出力方式として双方向出力方式又は片方向出力方式の何れかを選択して画像を出力するインクジェットプリンタに対して出力する画像データを生成するための補正処理を行う時に用いる補正テーブルを作成する画像処理方法であって、
目標となるカラー特性を示すカラー補正テーブルと、双方向出力方式で出力する前記インクジェットプリンタの本来の基準カラー特性を示したテーブルであって入力色レベルに対する出力色レベルの対応関係を示した双方向用基準カラー特性テーブルと、片方向出力方式で出力する前記インクジェットプリンタの本来の基準カラー特性を示したテーブルであって入力色レベルに対する出力色レベルの対応関係を示した片方向用基準カラー特性テーブルと、を記録し、
テストカラーパッチデータに基づき前記インクジェットプリンタによって双方向出力方式で出力したテストカラーパッチ画像を測色し得られた双方向測色データを入力し、前記双方向用基準カラー特性テーブル、前記双方向測色データ及び前記カラー補正テーブルに基づき、双方向出力方式で出力する前記インクジェットプリンタに対して画像データを出力するために補正を行う時に用いる双方向用カラー補正テーブルを作成する工程と、
テストカラーパッチデータに基づき前記インクジェットプリンタによって片方向出力方式で出力したカラーパッチ画像を測色し得られた片方向測色データを入力し、前記片方向用基準カラー特性テーブル、前記片方向測色データ及び前記カラー補正テーブルに基づき、片方向出力方式で出力する前記インクジェットプリンタに対して画像データを出力するために補正を行う時に用いる片方向用カラー補正テーブルを作成する工程と、を行う
ことを特徴とする画像処理方法。
【請求項４】
往復移動可能なヘッドによる片方向画像出力方式として片方向往動出力方式又は片方向復動出力方式の何れかを選択して画像を出力するインクジェットプリンタに対して出力する画像データを生成するための補正処理を行う時に用いる補正テーブルを作成する画像処理方法であって、
目標となるカラー特性を示すカラー補正テーブルと、片方向往動出力方式で出力する前記インクジェットプリンタの本来の基準カラー特性を示したテーブルであって入力色レベルに対する出力色レベルの対応関係を示した往動用基準カラー特性テーブルと、片方向復動出力方式で出力する前記インクジェットプリンタの本来の基準カラー特性を示したテーブルであって入力色レベルに対する出力色レベルの対応関係を示した復動用基準カラー特性テーブルと、を記録し、
テストカラーパッチデータに基づき前記インクジェットプリンタによって片方向往動出力方式で出力したカラーパッチ画像を測色し得られた往動測色データを入力し、前記往動用基準カラー特性テーブル、前記往動測色データ及び前記カラー補正テーブルに基づき、片方向往動出力方式で出力する前記インクジェットプリンタに対して画像データを出力するために補正を行う時に用いる往動用カラー補正テーブルを作成する工程と、
テストカラーパッチデータに基づき前記インクジェットプリンタによって片方向復動出力方式で出力したカラーパッチ画像を測色し得られた復動測色データを入力し、前記復動用基準カラー特性テーブル、前記復動測色データ及び前記カラー補正テーブルに基づき、片方向復動出力方式で出力する前記インクジェットプリンタに対して画像データを出力するために補正を行う時に用いる復動用カラー補正テーブルを作成する工程と、を行う
ことを特徴とする画像処理方法。
【発明の詳細な説明】
【０００１】
【発明の属する技術分野】
本発明は、記録ヘッドからインクを液滴として吐出することによって記録媒体に画像を形成するインクジェットプリンタに関する。
【０００２】
【従来の技術】
簡便、安価に画像を記録媒体に出力できる画像出力方法として、インクジェットプリンタを用いた画像出力方法が数多く用いられている。シリアル式のインクジェットプリンタは、紙といった記録媒体を搬送方向下流に間欠的に移動させ、記録媒体が停止している際に搬送方向に直交する走査方向にヘッドを記録媒体上で移動させる。そして、インクジェットプリンタは、ヘッドを走査方向に移動されている最中に、ピエゾ素子でヘッドからインク滴を記録媒体に向けて吐出する。このようなインクジェットプリンタの動作によって、記録媒体に画像が出力される。
【０００３】
シリアル式のインクジェットプリンタには、画像出力方式として双方向出力方式又は片方向出力方式の何れかを選択できるものがある。双方向出力方式とは、ヘッドが走査方向に往動している時でも復動している時でもヘッドからインク滴を吐出することによって記録媒体に画像を出力する方式である。一方、片方向出力方式とは、ヘッドが走査方向に往動している時のみ又はヘッドが走査方向に復動している時のみにヘッドからインク滴を吐出することによって記録媒体に画像を出力する方式である。更に、片方向出力方式は、片方向往動出力方式と片方向復動出力方式に分類され、これらを選択できるシリアル式のインクジェットプリンタもある。片方向往動出力方式とは、ヘッドが走査方向に往動している時のみにヘッドからインク滴を吐出して記録媒体に画像を出力する方式である。片方向復動出力方式とは、ヘッドが走査方向に復動している時にのみヘッドからインク滴を吐出して記録媒体に画像を出力する方式である。
【０００４】
ところで、インクジェットプリンタに用いられるインクとして、紫外線の被照射により硬化する紫外線硬化性インクがある。例えば特許文献１に記載されているように、紫外線で硬化する紫外線硬化性インクを用いて画像出力するインクジェットプリンタは、紫外線を発する紫外線光源を具備しており、ヘッドから記録媒体に向けてインク滴を吐出し、ヘッドとともに紫外線光源を移動させることで記録媒体に着弾したインク滴に紫外線光源から発した紫外線を照射する。これにより、記録媒体に着弾したインク滴が硬化する。このようなインクジェットプリンタは、ソルベント系インクで記録するプリンタに比べ比較的低臭気であり、インク吸収性の無い記録媒体に対して画像出力が出来る点で近年注目されつつある。
【０００５】
紫外線硬化性インクを用いたインクジェットプリンタでは、インク滴が紫外線の被照射によって硬化・定着するまで、ドット径拡大、ドット間の滲み、記録媒体に対する浸透などが変化していき、画質が変化していく。例えば、インク滴に対して濡れ性の高いＰＥＴフィルムを記録媒体として用いると、ドットの広がり速度が大きいため、ハイライト部分における出力濃度は高くなるが、インク滴に濡れ性の低いＯＰＰフィルムを記録媒体として用いると、反対にハイライト部分における出力濃度が低くなる。
【０００６】
ところで、インクジェットプリンタに限らず種々のプリンタや印刷機の色再現処理において、色再現効果を向上するための色の階調を修正する手法として、入力色空間のデータに演算処理を施して出力色空間のデータを得るカラーマスキング法や、プロファイルと呼ばれる補正テーブル（ルック・アップ・テーブル：Ｌｏｏｋ  Ｕｐ  Ｔａｂｌｅ）によって入力色空間のデータを出力色空間のデータに変換する方法が用いられている（例えば、特許文献２参照。）。つまり、画像の色データを補正テーブルに基づき補正し、補正の結果得られた画像データをプリンタに対して出力すれば、プリンタに入力される画像データはプリンタの出力色空間のデータに変換されているので、色再現効果が向上する。
【０００７】
補正テーブルを作成する技術をインクジェットプリンタに適用し、記録媒体の種類ごとに補正テーブルを作成し、その補正テーブルに基づき補正して画像出力すれば、制御回路を複雑にすることなしに色再現効果が向上する。
【０００８】
【特許文献１】
特開昭６０−１３２７６７号公報
【特許文献２】
特許第２９６３０４６号公報
【０００９】
【発明が解決しようとする課題】
しかしながら、記録媒体ごとに補正テーブルを作成した場合でも、画像データを補正テーブルに基づいて補正し、補正した画像データに基づきインクジェットプリンタによって片方向出力方式で画像を記録媒体に出力した場合と、補正した画像データに基づきインクジェットプリンタによって双方向出力方式で画像を記録媒体に出力した場合とでは、出力画像の色再現性が異なることがある。更には、補正した画像データに基づきインクジェットプリンタによって片方向往動出力方式で画像を記録媒体に出力した場合と、補正した画像データに基づきインクジェットプリンタによって片方向復動出力方式で画像を記録媒体に出力した場合とでは、出力画像の色再現性が異なることがある。
【００１０】
そこで、本発明の目的は、インクジェットプリンタによって片方向出力方式で画像出力した場合でも双方向出力方式で画像出力した場合でも画像の色再現性を同じようにすることである。更には、本発明の別の目的は、インクジェットプリンタによって片方向往動出力方式で画像出力した場合でも片方向復動出力方式で画像出力した場合でも画像の色再現性を同じようにすることである。
【００１１】
【課題を解決するための手段】
請求項１に記載の発明は、往復移動可能なヘッドによる画像出力方式として双方向出力方式又は片方向出力方式の何れかを選択して画像を出力するインクジェットプリンタに対して出力する画像データを生成するための補正処理を行う時に用いる補正テーブルを作成する画像処理方法であって、
目標となる階調特性を示す階調補正テーブルと、双方向出力方式で出力する前記インクジェットプリンタの本来の基準特性を示したテーブルであって入力レベルに対する出力レベルの対応関係を示した双方向用基準特性テーブルと、片方向出力方式で出力する前記インクジェットプリンタの本来の基準特性を示したテーブルであって入力レベルに対する出力レベルの対応関係を示した片方向用基準特性テーブルと、を前記インクジェットプリンタで用いるそれぞれの色について記録し、
テストパターンデータに基づき前記インクジェットプリンタによって双方向出力方式で出力したテストパターン画像を測定し得られた双方向測定データを入力し、前記双方向用基準特性テーブル、前記双方向測定データ及び前記階調補正テーブルに基づき、双方向出力方式で出力する前記インクジェットプリンタに対して画像データを出力するために補正を行う時に用いる双方向用補正テーブルを作成する工程と、
テストパターンデータに基づき前記インクジェットプリンタによって片方向出力方式で出力したテストパターン画像を測定し得られた片方向測定データを入力し、前記片方向用基準特性テーブル、前記片方向測定データ及び前記階調補正テーブルに基づき、片方向出力方式で出力する前記インクジェットプリンタに対して画像データを出力するために補正を行う時に用いる片方向用補正テーブルを作成する工程と、を前記インクジェットプリンタで用いるそれぞれの色について行うことを特徴とする。
【００１２】
請求項１に記載の発明では、インクジェットプリンタで用いるそれぞれの色について双方向用補正テーブルを作成するとともに、更にそれぞれの色について片方向用補正テーブルを作成している。そして、画像データを各色の双方向用補正テーブルに基づいて補正し、補正した画像データに基づきインクジェットプリンタによって双方向出力方式で画像を記録媒体に出力した場合でも、画像データを各色の片方向用補正テーブルに基づいて補正し、補正した画像データに基づきインクジェットプリンタによって片方向出力方式で画像を記録媒体に出力した場合でも、出力画像の色再現性を同じようにすることができる。
【００１３】
請求項２に記載の発明は、往復移動可能なヘッドによる片方向画像出力方式として片方向往動出力方式又は片方向復動出力方式の何れかを選択して画像を出力するインクジェットプリンタに対して出力する画像データを生成するための補正処理を行う時に用いる補正テーブルを作成する画像処理方法であって、
目標となる階調特性を示す階調補正テーブルと、往動中のヘッドで出力する前記インクジェットプリンタの本来の基準特性を示したテーブルであって入力レベルに対する出力レベルの対応関係を示した往動用基準特性テーブルと、復動中のヘッドで出力する前記インクジェットプリンタの本来の基準特性を示したテーブルであって入力レベルに対する出力レベルの対応関係を示した復動用基準特性テーブルと、を前記インクジェットプリンタで用いるそれぞれの色について記録し、
テストパターンデータに基づき前記インクジェットプリンタによって片方向往動出力方式で出力したテストパターン画像を測定し得られた往動測定データを入力し、前記往動用基準特性テーブル、前記往動測定データ及び前記階調補正テーブルに基づき、片方向往動出力方式で出力する前記インクジェットプリンタに対して画像データを出力するために補正を行う時に用いる往動用補正テーブルを作成する工程と、
テストパターンデータに基づき前記インクジェットプリンタによって片方向復動出力方式で出力したテストパターン画像を測定し得られた復動測定データを入力し、前記復動用基準特性テーブル、前記復動測定データ及び前記階調補正テーブルに基づき、片方向復動出力方式で出力する前記インクジェットプリンタに対して画像データを出力するために補正を行う時に用いる復動用補正テーブルを作成する工程と、を前記インクジェットプリンタで用いるそれぞれの色について行うことを特徴とする。
【００１４】
請求項２に記載の発明では、インクジェットプリンタで用いるそれぞれの色について往動用補正テーブルを作成するとともに、更にそれぞれの色について復動用補正テーブルを作成している。そして、画像データを各色の往動用補正テーブルに基づいて補正し、補正した画像データに基づきインクジェットプリンタによって片方向往動出力方式で画像を記録媒体に出力した場合でも、画像データを各色の復動用補正テーブルに基づいて補正し、補正した画像データに基づきインクジェットプリンタによって片方向復動出力方式で画像を記録媒体に出力した場合でも、出力画像の色再現性を同じようにすることができる。
【００１５】
請求項３に記載の発明は、往復移動可能なヘッドによる画像出力方式として双方向出力方式又は片方向出力方式の何れかを選択して画像を出力するインクジェットプリンタに対して出力する画像データを生成するための補正処理を行う時に用いる補正テーブルを作成する画像処理方法であって、
目標となるカラー特性を示すカラー補正テーブルと、双方向出力方式で出力する前記インクジェットプリンタの本来の基準カラー特性を示したテーブルであって入力色レベルに対する出力色レベルの対応関係を示した双方向用基準カラー特性テーブルと、片方向出力方式で出力する前記インクジェットプリンタの本来の基準カラー特性を示したテーブルであって入力色レベルに対する出力色レベルの対応関係を示した片方向用基準カラー特性テーブルと、を記録し、
テストカラーパッチデータに基づき前記インクジェットプリンタによって双方向出力方式で出力したテストカラーパッチ画像を測色し得られた双方向測色データを入力し、前記双方向用基準カラー特性テーブル、前記双方向測色データ及び前記カラー補正テーブルに基づき、双方向出力方式で出力する前記インクジェットプリンタに対して画像データを出力するために補正を行う時に用いる双方向用カラー補正テーブルを作成する工程と、
テストカラーパッチデータに基づき前記インクジェットプリンタによって片方向出力方式で出力したカラーパッチ画像を測色し得られた片方向測色データを入力し、前記片方向用基準カラー特性テーブル、前記片方向測色データ及び前記カラー補正テーブルに基づき、片方向出力方式で出力する前記インクジェットプリンタに対して画像データを出力するために補正を行う時に用いる片方向用カラー補正テーブルを作成する工程と、を行うことを特徴とする。
【００１６】
請求項３に記載の発明では、双方向用カラー補正テーブルを作成するとともに、更に片方向用カラー補正テーブルを作成している。そして、画像データを双方向用カラー補正テーブルに基づいて補正し、補正した画像データに基づきインクジェットプリンタによって双方向出力方式で画像を記録媒体に出力した場合でも、画像データを片方向用カラー補正テーブルに基づいて補正し、補正した画像データに基づきインクジェットプリンタによって片方向出力方式で画像を記録媒体に出力した場合でも、出力画像の色再現性を同じようにすることができる。
【００１７】
請求項４に記載の発明は、往復移動可能なヘッドによる片方向画像出力方式として片方向往動出力方式又は片方向復動出力方式の何れかを選択して画像を出力するインクジェットプリンタに対して出力する画像データを生成するための補正処理を行う時に用いる補正テーブルを作成する画像処理方法であって、
目標となるカラー特性を示すカラー補正テーブルと、片方向往動出力方式で出力する前記インクジェットプリンタの本来の基準カラー特性を示したテーブルであって入力色レベルに対する出力色レベルの対応関係を示した往動用基準カラー特性テーブルと、片方向復動出力方式で出力する前記インクジェットプリンタの本来の基準カラー特性を示したテーブルであって入力色レベルに対する出力色レベルの対応関係を示した復動用基準カラー特性テーブルと、を記録し、
テストカラーパッチデータに基づき前記インクジェットプリンタによって片方向往動出力方式で出力したカラーパッチ画像を測色し得られた往動測色データを入力し、前記往動用基準カラー特性テーブル、前記往動測色データ及び前記カラー補正テーブルに基づき、片方向往動出力方式で出力する前記インクジェットプリンタに対して画像データを出力するために補正を行う時に用いる往動用カラー補正テーブルを作成する工程と、
テストカラーパッチデータに基づき前記インクジェットプリンタによって片方向復動出力方式で出力したカラーパッチ画像を測色し得られた復動測色データを入力し、前記復動用基準カラー特性テーブル、前記復動測色データ及び前記カラー補正テーブルに基づき、片方向復動出力方式で出力する前記インクジェットプリンタに対して画像データを出力するために補正を行う時に用いる復動用カラー補正テーブルを作成する工程と、を行うことを特徴とする。
【００１８】
請求項４に記載の発明では、往動用カラー補正テーブルを作成するとともに、更に復動用カラー補正テーブルを作成している。そして、画像データを往動用カラー補正テーブルに基づいて補正し、補正した画像データに基づきインクジェットプリンタによって片方向往動出力方式で画像を記録媒体に出力した場合でも、画像データを復動用カラー補正テーブルに基づいて補正し、補正した画像データに基づきインクジェットプリンタによって片方向復動出力方式で画像を記録媒体に出力した場合でも、出力画像の色再現性を同じようにすることができる。
【００１９】
【発明の実施の形態】
以下に、図面を用いて本発明の具体的な態様について説明する。ただし、発明の範囲は、図示例に限定されない。
【００２０】
〔第一の実施の形態〕
図１は、本発明を適用した画像処理方法に用いられるインクジェットプリンタ１を示した斜視図である。
図１に示すように、インクジェットプリンタ１は、搬送ローラ３ａ，３ｂ及び搬送ローラ３ａ，３ｂを駆動する搬送モータ（図示略）等を有するとともにウェブ状の記録媒体９９を搬送方向Ａ下流へ間欠的に搬送する搬送機構と、搬送ローラ３ａ，３ｂの間で記録媒体９９を下から支持するプラテン２と、記録媒体９９の上方において搬送方向Ａに直交する走査方向Ｂに延在した直線状のガイド部材１２と、ガイド部材１２に案内されて走査方向Ｂに往復移動するキャリッジ１１と、キャリッジ１１に搭載されるとともに走査方向Ｂに配列されたヘッド５〜８と、これらヘッド５〜８の走査方向Ｂ両側においてキャリッジ１１に搭載されるとともに下方の記録媒体９９に向けて紫外線を照射する紫外線照射機構９，１０と、装置全体を制御するドライバ回路２０（図２に図示）と、を備える。
【００２１】
搬送機構は、画像出力時において、キャリッジ１１の動作に合わせて、記録媒体９９の搬送と停止とを繰り返し記録媒体９９を間欠的に搬送するようになっている。キャリッジ１１にはモータ、伝動機構等が設けられており、モータ、伝動機構等の動力によってキャリッジ１１が走査方向Ｂに移動するようになっている。なお、以下では、図１においてキャリッジ１１が右から左へ移動することを、「キャリッジ１１が往動する」と定義し、図１においてキャリッジ１１が左から右へ移動することを、「キャリッジ１１が復動する」と定義する。
【００２２】
何れのヘッド５〜８の下面にも吐出口が複数形成されており、吐出口ごとに設けられたピエゾ素子等により内部圧力が変化することによってそれぞれの吐出口から個別にインクが吐出されるようになっている。ヘッド５の吐出口からはイエロー（Ｙ）のインクが吐出され、ヘッド６の吐出口からはマゼンタ（Ｍ）のインクが吐出され、ヘッド７の吐出口からはシアン（Ｃ）のインクが吐出され、ヘッド８の吐出口からはブラック（Ｋ）のインクが吐出されるようになっている。どの色のインクにも、紫外線の被照射によって硬化するカチオン重合性、ラジカル重合性といった紫外線硬化性インクを用いている。
【００２３】
ドライバ回路２０は、スキャナ、デジタルカメラといった画像入力装置、パーソナルコンピュータ、ワークステーションといったコンピュータ等から出力された画像データを入力するものであり、入力した画像データに従って搬送機構、キャリッジ１１、ヘッド５〜８及び紫外線照射機構９，１０を制御するようになっている。ドライバ回路２０の制御により、搬送機構、キャリッジ１１、ヘッド５〜８及び紫外線照射機構９，１０が動作し、インクジェットプリンタ１全体として画像出力動作を行うようになっている。なお、インクジェットプリンタ１が画像出力動作をするに先立って画像入力装置、コンピュータといったデバイスが画像データを生成して、生成した画像データをインクジェットプリンタ１のドライバ回路２０に出力する。
【００２４】
以上のように構成されたインクジェットプリンタ１は、画像出力方式として双方向出力方式でも動作することもできるし、片方向出力方式でも動作することもでき、画像出力方式を双方向出力方式か又は片方向出力方式の何れかに選択することができる。
【００２５】
双方向出力方式が選択された場合のインクジェットプリンタ１の動作について説明する。
紫外線照射機構９，１０が発光して記録媒体９９に向けて紫外線を照射している状態で、搬送機構の搬送モータがローラ３ａ，３ｂを駆動することによって記録媒体９９が搬送方向Ａ下流に搬送される。ここで、搬送機構とキャリッジ１１は次のように動作を合わせて稼働する。
【００２６】
即ち、搬送機構が記録媒体９９を搬送することを停止するとキャリッジ１１が移動範囲の一端から移動範囲の他端まで走査方向Ｂに往動し、キャリッジ１１が他端まで移動して往動することを停止すると搬送機構が記録媒体９９を搬送し、再び搬送機構が記録媒体９９を搬送することを停止するとキャリッジ１１が他端から一端まで走査方向Ｂに復動し、キャリッジ１１が一端まで移動して復動することを停止すると搬送機構が記録媒体９９を搬送する。キャリッジ１１及び搬送機構はこのような動作を繰り返す。このような搬送機構及びキャリッジ１１の動作は、ドライバ回路２０が入力した画像データに従って搬送機構及びキャリッジ１１を制御することによって行われる。
【００２７】
キャリッジ１１が往動している時であっても復動している時であっても、ヘッド５〜８が適宜吐出口からインクを吐出することによって、記録媒体９９にカラー画像が出力される。記録媒体９９に着弾したインクに紫外線照射機構９，１０からの紫外線が入射すると、インクが硬化する。ヘッド５〜８がインクを吐出するタイミングは、ドライバ回路２０が入力した画像データに従って搬送機構及びキャリッジ１１を制御することによって行われる。
【００２８】
片方向出力方式が選択された場合のインクジェットプリンタ１の動作について説明する。
紫外線照射機構９，１０が発光して記録媒体９９に向けて紫外線を照射している状態で、搬送機構の搬送モータが搬送ローラ３ａ，３ｂを駆動することによって記録媒体９９が搬送方向Ａ下流に搬送される。ここで、搬送機構とキャリッジ１１は次のように動作を合わせて稼働する。
【００２９】
即ち、搬送機構が記録媒体９９を搬送することを停止すると、キャリッジ１１が移動範囲の一端から移動範囲の他端まで走査方向Ｂに往動してから他端から一端まで復動し、キャリッジ１１が一端まで移動して復動することを停止すると搬送機構が記録媒体９９を搬送する。キャリッジ１１及び搬送機構はこのような動作を繰り返す。このような搬送機構及びキャリッジ１１の動作は、ドライバ回路２０が入力した画像データに従って搬送機構及びキャリッジ１１を制御することによって行われる。
【００３０】
キャリッジ１１が往動している時か又は復動している時の何れかに、ヘッド５〜８が適宜吐出口からインクを吐出することによって、記録媒体９９にカラー画像が出力される。記録媒体９９に着弾したインクに紫外線照射機構９，１０からの紫外線が入射すると、インクが硬化する。ヘッド５〜８がインクを吐出するタイミングは、ドライバ回路２０が入力した画像データに従って搬送機構及びキャリッジ１１を制御することによって行われる。
ここで、片方向出力方式は更に二つの方式に分類され、一方の方式は、キャリッジ１１が往動している時にはヘッド５〜８が適宜吐出口からインクを吐出するとともにキャリッジ１１が復動している時にはヘッド５〜８がインクを吐出しない方式である。以下この方式を片方向往動出力方式という。他方の方式は、キャリッジ１１が復動している時にはヘッド５〜８が適宜吐出口からインクを吐出するとともにキャリッジ１１が往動している時にはヘッド５〜８がインクを吐出しない方式である。以下この方式を片方向復動出力方式という。このインクジェットプリンタ１は、片方向出力方式として片方向往動出力方式又は片方向復動出力方式の何れかに選択することができる。
【００３１】
次に、本発明が適用された画像処理方法について説明する。
上記インクジェットプリンタ１で画像を出力するに先だって画像入力装置、コンピュータといったデバイスが画像データを生成して、生成した画像データをインクジェットプリンタ１のドライバ回路２０に出力するが、本実施形態の画像処理方法はデバイスが画像データを生成するための補正処理を行う時に用いる補正テーブルを作成するための方法である。
【００３２】
まず、この画像処理方法において使用する装置について説明する。
この画像処理方法において使用する装置は、上述のように構成されたインクジェットプリンタ１及び図２に示された画像処理装置１００である。ここで、図２は、画像処理装置１００及びインクジェットプリンタ１を示したブロック図である。
【００３３】
画像処理装置１００の構成について説明する。
この画像処理装置１００は、画像処理装置１００全体の制御を司るＣＰＵ１０１と、図３に示すようなＹＭＣＫごとの標準階調補正テーブル、図４に示すようなＹＭＣＫごとの双方向用基準特性テーブル（実線）及び図４に示すようなＹＭＣＫごとの片方向用基準特性テーブル（破線、一点鎖線）を記録したＲＯＭ１０２と、作業領域として種々のテーブル（種々のテーブルについては後述する。）を格納するＲＡＭ１０３と、インクジェットプリンタ１のドライバ回路２０にデータ出力可能に接続されたＩ／Ｏインターフェース１０５と、Ｉ／Ｏインターフェース１０６と、これらをデータ入出力可能に接続したバス１０７と、Ｉ／Ｏインターフェース１０６にデータ出力可能に接続された測色計１０４と、テストパターンデータを生成するためのテストパターン発生器１０８と、を備える。
【００３４】
ＲＯＭ１０２に格納された標準階調補正テーブルについて説明する。図３に示された標準階調補正テーブルは、画像の階調レベルが本来ならＲＡＭ１０３において図のような特性の目標入力レベルに階調補正されるべきとする目標を表したテーブルである。つまり、標準階調補正テーブルは、画像の階調レベルに対して目標とする目標入力レベルの対応関係を表したテーブルである。このような標準階調補正テーブルは、Ｙ、Ｍ、Ｃ及びＫそれぞれの色についてＲＯＭ１０２に記録されている。
【００３５】
ＲＯＭ１０２に格納された基準特性テーブルについて説明する。図４に示された基準特性テーブルは、インクジェットプリンタ１の本来の基準特性を示すテーブルである。つまり、基準特性テーブルは、ドライバ回路２０が入力する入力レベルとその入力レベルを入力した場合にインクジェットプリンタ１から本来出力される出力濃度との対応関係を表したテーブルである。このような基準特性テーブルはＹ、Ｍ、Ｃ及びＫそれぞれの色についてＲＯＭ１０２に記録されている。更に、Ｙ、Ｍ、Ｃ及びＫそれぞれの色につき三種類の基準特性テーブルが準備されている。第一の基準特性テーブルは、インクジェットプリンタ１が双方向出力方式で出力する場合に利用するテーブルであって、ドライバ回路２０が入力する入力レベルとその入力レベルを入力した場合にインクジェットプリンタ１から双方向出力方式で本来出力される出力濃度との対応関係を表した双方向用基準特性テーブル（図４の実線）である。第二の基準特性テーブルは、インクジェットプリンタ１が片方向往動出力方式で出力する場合に利用するテーブルであって、ドライバ回路２０が入力する入力レベルとその入力レベルを入力した場合にインクジェットプリンタ１から片方向往動出力方式で本来出力される出力濃度との対応関係を表した片方向往動用基準特性テーブル（図４の破線）である。第三の基準特性テーブルは、インクジェットプリンタ１が片方向復動出力方式で出力する場合に利用するテーブルであって、ドライバ回路２０が入力する入力レベルとその入力レベルを入力した場合にインクジェットプリンタ１から片方向出力方式で本来出力される出力濃度との対応関係を表した片方向復動用基準特性テーブル（図４の一点鎖線）である。
【００３６】
テストパターン発生器１０８は、Ｙ、Ｍ、Ｃ及びＫのそれぞれの色について０〜２５５までの２５６レベル（８ビット）のテストパターンデータを生成して、生成したテストパターンデータをＩ／Ｏインターフェース１０５を介してドライバ回路２０に出力するようになっている。ここでは、テストパターン発生器１０８は、Ｙ、Ｍ、Ｃ及びＫのそれぞれの色について３２レベル毎のテストパターンデータを出力するようになっている。即ち、テストパターン発生器１０８は、０レベル、３２レベル、６４レベル、９６レベル、１２８レベル、１６０レベル、１９２レベル、２２４レベル、２５５レベルの計９段からなるのテストパターンデータをＩ／Ｏインターフェース１０５を介してドライバ回路２０に出力するようになっている。なお、ドライバ回路２０は、通常の出力動作と同様に、テストパターンデータに従ってヘッド５〜８、搬送機構及びキャリッジ１１を制御することによってテストパターン画像を記録媒体９９に出力するようになっている。
【００３７】
測色計１０４はＣＣＤカメラ、分光光度計等である。この測色計１０４は図１に示すようにキャリッジ１１よりも搬送方向Ａ下流側に配置され、記録媒体９９に記録された画像を測色するようになっている。更に、測色計１０４は、測色結果をＹＭＣＫモデルの色空間のレベルでＩ／Ｏインターフェース１０６に出力するようになっている。測色計１０４からＩ／Ｏインターフェース１０６に出力された測色結果は、ＣＰＵ１０１の処理によってＹＭＣＫのレベルでＲＡＭ１０３に一時的に記録されるようになっている。この測色結果はＣＰＵ１０１の処理に用いられる。
【００３８】
次に、以上のように構成された画像処理装置１００の動作、画像処理装置１００の動作に基づいた画像処理方法について説明する。
【００３９】
（ステップＡ１）
まず、Ｙについて双方向出力方式のインクジェットプリンタ１の特性をテストするために、テストパターン発生器１０８によりＹのテストパターンデータを生成し、発生したテストパターンデータを通常の画像データの代わりにドライバ回路２０に出力する。つまり、テストパターン発生器１０８は、Ｙについて、０レベル、３２レベル、６４レベル、９６レベル、１２８レベル、１６０レベル、１９２レベル、２２４レベル、２５６レベルの計９段からなるのテストパターンデータをドライバ回路２０に出力する。
【００４０】
（ステップＡ２）
そして、ドライバ回路２０がテストパターンデータに従って搬送機構、キャリッジ２０、ヘッド５〜８及び紫外線照射機構９，１０を制御すると、インクジェットプリンタ１が双方向出力方式で記録媒体９９上にテストパターン画像を出力する。図５は、出力されたテストパターン画像の一例である。図５に示すように、テストパターン画像は、Ｙが低濃度のパターン（Ｙが０レベルの場合に出力されたパターン）からＹが高濃度のパターン（Ｙが２５６レベルの場合に出力されたパターン）まで搬送方向Ａに向かって９段で表された画像である。
【００４１】
（ステップＡ３）
次に、こうして出力されたテストパターン画像を測色計１０４によって測定し、得られたＹの出力濃度を測色計１０４からＩ／Ｏインターフェース１０６に出力する。そして、ＣＰＵ１０１が測色計１０４から入力したＹの出力濃度をＲＡＭ１０３に記録していく。図６は、インクジェットプリンタ１がテスト出力した場合の出力特性（テスト出力特性テーブル）を示した図である。図６において、横軸は、テストパターンデータのＹのレベルであってテストパターン発生器１０８からドライバ回路２０に入力したＹの入力レベルである。縦軸は、測色計１０４によって測定されたＹの出力濃度であってＲＡＭ１０３に記録された出力濃度（つまり、Ｙの双方向測定データ）である。なお、測色計１０４によって測定されるＹの出力濃度は白が０．０であり、またＹが１．０００となるように規格化してある。また、Ｙの濃度が標準よりも濃い場合にも薄い場合にも対処できるように、測色計１０４により測定された出力濃度を０．００５きざみで０．０００〜１．２７５までに割り当てている。また、０レベル、３２レベル、６４レベル、９６レベル、１２８レベル、１６０レベル、１９２レベル、２２４レベル、２５５レベル以外のテストパターンデータにないレベルについては、適当な演算で補間してある。
【００４２】
（ステップＡ４）
次に、ＣＰＵ１０１が図４に示されたＹの双方向用基準特性テーブルを読み出す。そして、ＣＰＵ１０１は、ＲＡＭ１０３に記憶されたＹの出力濃度及びＹの双方向用基準特性テーブルから、テスト出力時にテストパターン発生器１０８からドライバ回路２０に入力されたＹの入力レベルと双方向用基準特性テーブルのＹの入力レベルとの対応関係を求める。つまり、図７は図６のテスト出力特性テーブル及び図４のＹの双方向用基準特性テーブルを同じグラフに示した図面であるが、ＣＰＵ１０１が図７の矢印のように同一出力濃度に対応する双方向用基準特性テーブルのＹの入力レベルとテスト出力特性のＹの入力レベルとの対応関係を求める。図８は、双方向用基準特性テーブルのＹの入力レベルとテスト出力特性のＹの入力レベルとの関係を表した修正テーブルである。
【００４３】
（ステップＳＡ５）
次に、ＣＰＵ１０１が図３に示されたＹの標準階調補正テーブルを読み出す。そして、ＣＰＵ１０１は、図８の修正テーブルからＹの標準階調補正テーブルを新たな階調補正テーブルに補正する。即ち、Ｙの標準階調補正テーブルで読み取った縦軸（目標入力レベル）の各値を図８の修正テーブルの横軸に当てはめ、その修正テーブルに従って図３の縦軸の目標入力レベルをテストパターンデータの入力レベルに変換していく。これにより、ＣＰＵ１０１は、図９に示すような、画像の階調レベルとテストパターンデータの入力レベルとの対応関係を表した新たなＹの双方向用階調補正テーブルを作成する。図９の新たなＹの双方向用階調補正テーブルによれば、実際に使用する画像の階調レベルを横軸とし、双方向出力方式で動作するインクジェットプリンタ１に常に理想的な出力特性を得るべく特性変換された入力レベルを縦軸として得られたことになる。作成した新たなＹの双方向用階調補正テーブルは、ＣＰＵ１０１の処理によって、不揮発性メモリ、磁気記憶ディスク、光磁気記憶ディスク、その他電源がオフになってもデータ保持可能な記憶媒体に記録される。
【００４４】
（ステップＳＡ６）
以上のステップＳＡ１〜ステップＳＡ５はＹについて新たな双方向用階調補正テーブルを作成するための処理の流れであるが、Ｍ、Ｃ及びＫのそれぞれについても上記ステップＳＡ１〜ステップＳＡ５と同様な処理を行うことで、新たなＭの双方向用階調補正テーブル、新たなＣの双方向用階調補正テーブル及び新たなＫの双方向用階調補正テーブルを作成して記憶媒体に記録する。即ち、テストパターンデータをテストパターン発生器１０８からドライバ回路２０に出力する工程（ステップＳＡ１）と、テストパターンデータに従ってテストパターン画像を双方向出力方式で出力する工程（ステップＳＡ２）と、テストパターン画像を測色計１０４によって測定し、得られた出力濃度をＲＡＭ１０３に記録していく工程（ステップＳＡ３）と、出力濃度及び双方向用基準特性テーブルから、テスト出力時にテストパターン発生器１０８からドライバ回路２０に入力された入力レベルと双方向用基準特性テーブルの入力レベルとの対応関係を表した修正テーブルを求める工程（ステップＳＡ４）と、修正テーブルから標準階調補正テーブルを新たな双方向用階調補正テーブルに補正する工程（ステップＳＡ５）と、をＭ、Ｃ及びＫのそれぞれについて行う。
【００４５】
（ステップＳＢ１）
以上のステップＳＡ１〜ステップＳＡ６はＹ、Ｍ、Ｃ及びＫそれぞれについて新たな双方向用階調補正テーブルを作成するための処理の流れであるが、その後以下に詳説するような処理を行うことによって、Ｙ、Ｍ、Ｃ及びＫについて新たな片方向往動用階調補正テーブルを作成する。
まず、Ｙについて片方向往動出力方式のインクジェットプリンタ１の特性をテストするために、上記ステップＳＡ１と同様に、テストパターン発生器１０８によりＹのテストパターンデータを生成し、発生したテストパターンデータを通常の画像データの代わりにドライバ回路２０に出力する。つまり、テストパターン発生器１０８は、Ｙについて、０レベル、３２レベル、６４レベル、９６レベル、１２８レベル、１６０レベル、１９２レベル、２２４レベル、２５６レベルの計９段からなるのテストパターンデータをドライバ回路２０に出力する。
【００４６】
（ステップＳＢ２）
そして、ドライバ回路２０がテストパターンデータに従って搬送機構、キャリッジ２０、ヘッド５〜８及び紫外線照射機構９，１０を制御すると、インクジェットプリンタ１が片方向往動出力方式で記録媒体９９上にテストパターン画像を出力する。ステップＳＢ２が上記ステップＳＡ２と異なる点は、上記ステップＳＡ２ではインクジェットプリンタ１が双方向出力方式でテストパターン画像を出力していたのに対し、ステップＳＢ２ではインクジェットプリンタ１が片方向往動出力方式でテストパターン画像を出力することである。
【００４７】
（ステップＳＢ３）
次に、こうして出力されたテストパターン画像を上記ステップＳＡ３と同様に測色計１０４によって測定し、得られたＹの出力濃度（Ｙの片方向往動測定データ）を測色計１０４からＩ／Ｏインターフェース１０６に出力する。そして、ＣＰＵ１０１が測色計１０４から入力したＹの出力濃度をＲＡＭ１０３に記録していく。
【００４８】
（ステップＳＢ４）
次に、ＣＰＵ１０１が図４に示されたＹの片方向往動用基準特性テーブルを読み出す。そして、ＣＰＵ１０１は、上記ステップＳＡ４と同様に、ＲＡＭ１０３に記憶されたＹの出力濃度及びＹの片方向往動用基準特性テーブルから、テスト出力時にテストパターン発生器１０８からドライバ回路２０に入力されたＹの入力レベルと基準特性テーブルのＹの入力レベルとの対応関係を表した修正テーブルを求める。ステップＳＢ４が上記ステップＳＡ４と異なる点は、上記ステップＳＡ４では双方向用基準特性テーブルを用いていたのに対し、ステップＳＢ４では片方向往動用基準特性テーブルを用いていることである。
【００４９】
（ステップＳＢ５）
次に、ＣＰＵ１０１が図３に示されたＹの標準階調補正テーブルを読み出す。そして、ＣＰＵ１０１は、ステップＳＢ４で得られた修正テーブルからＹの標準階調補正テーブルを新たな階調補正テーブルに補正する。これにより、ＣＰＵ１０１は、画像の階調レベルとテストパターンデータの入力レベルとの対応関係を表した新たなＹの片方向往動用階調補正テーブルを作成する。作成した新たなＹの片方向往動用階調補正テーブルは、ＣＰＵ１０１の処理によって、不揮発性メモリ、磁気記憶ディスク、光磁気記憶ディスク、その他電源がオフになってもデータ保持可能な記憶媒体に記録される。
【００５０】
（ステップＳＢ６）
Ｍ、Ｃ及びＫのそれぞれについても上記ステップＳＢ１〜ステップＳＢ５と同様な処理を行うことで、新たなＭの片方向往動用階調補正テーブル、新たなＣの片方向往動用階調補正テーブル及び新たなＫの片方向往動用階調補正テーブルを作成して記憶媒体に記録する。即ち、テストパターンデータをテストパターン発生器１０８からドライバ回路２０に出力する工程（ステップＳＢ１）と、テストパターンデータに従ってテストパターン画像を片方向往動出力方式で出力する工程（ステップＳＢ２）と、テストパターン画像を測色計１０４によって測定し、得られた出力濃度をＲＡＭ１０３に記録していく工程（ステップＳＢ３）と、出力濃度及び片方向往動用基準特性テーブルから、テスト出力時にテストパターン発生器１０８からドライバ回路２０に入力された入力レベルと基準特性テーブルの入力レベルとの対応関係（修正テーブル）を求める工程（ステップＳＢ４）と、修正テーブルから標準階調補正テーブルを新たな片方向往動用階調補正テーブルに補正する工程（ステップＳＢ５）と、をＭ、Ｃ及びＫのそれぞれについて行う。
【００５１】
（ステップＳＣ１）
以上のステップＳＢ１〜ステップＳＢ６はＹ、Ｍ、Ｃ及びＫそれぞれについて新たな片方向往動用階調補正テーブルを作成するための処理の流れであるが、その後以下に詳説するような処理を行うことによって、Ｙ、Ｍ、Ｃ及びＫについて新たな片方向復動用階調補正テーブルを作成する。
まず、Ｙについて片方向復動出力方式のインクジェットプリンタ１の特性をテストするために、上記ステップＳＡ１と同様に、テストパターン発生器１０８によりＹのテストパターンデータを生成し、発生したテストパターンデータを通常の画像データの代わりにドライバ回路２０に出力する。つまり、テストパターン発生器１０８は、Ｙについて、０レベル、３２レベル、６４レベル、９６レベル、１２８レベル、１６０レベル、１９２レベル、２２４レベル、２５６レベルの計９段からなるのテストパターンデータをドライバ回路２０に出力する。
【００５２】
（ステップＳＣ２）
そして、ドライバ回路２０がテストパターンデータに従って搬送機構、キャリッジ２０、ヘッド５〜８及び紫外線照射機構９，１０を制御すると、インクジェットプリンタ１が片方向復動出力方式で記録媒体９９上にテストパターン画像を出力する。ステップＳＣ２が上記ステップＳＡ２と異なる点は、上記ステップＳＡ２ではインクジェットプリンタ１が双方向出力方式でテストパターン画像を出力していたのに対し、ステップＳＣ２ではインクジェットプリンタ１が片方向復動出力方式でテストパターン画像を出力することである。
【００５３】
（ステップＳＣ３）
次に、こうして出力されたテストパターン画像を上記ステップＳＡ３と同様に測色計１０４によって測定し、得られたＹの出力濃度（Ｙの片方向復動測定データ）を測色計１０４からＩ／Ｏインターフェース１０６に出力する。そして、ＣＰＵ１０１が測色計１０４から入力したＹの出力濃度をＲＡＭ１０３に記録していく。
【００５４】
（ステップＳＣ４）
次に、ＣＰＵ１０１が図４に示されたＹの片方向復動用基準特性テーブルを読み出す。そして、ＣＰＵ１０１は、上記ステップＳＡ４と同様に、ＲＡＭ１０３に記憶されたＹの出力濃度及びＹの片方向復動用基準特性テーブルから、テスト出力時にテストパターン発生器１０８からドライバ回路２０に入力されたＹの入力レベルと基準特性テーブルのＹの入力レベルとの対応関係を表した修正テーブルを求める。ステップＳＢ４が上記ステップＳＡ４と異なる点は、上記ステップＳＡ４では双方向用基準特性テーブルを用いていたのに対し、ステップＳＢ４では片方向復動用基準特性テーブルを用いていることである。
【００５５】
（ステップＳＣ５）
次に、ＣＰＵ１０１が図３に示されたＹの標準階調補正テーブルを読み出す。そして、ＣＰＵ１０１は、ステップＳＢ４で得られた修正テーブルからＹの標準階調補正テーブルを新たな階調補正テーブルに補正する。これにより、ＣＰＵ１０１は、画像の階調レベルとテストパターンデータの入力レベルとの対応関係を表した新たなＹの片方向復動用階調補正テーブルを作成する。作成した新たなＹの片方向復動用階調補正テーブルは、ＣＰＵ１０１の処理によって、不揮発性メモリ、磁気記憶ディスク、光磁気記憶ディスク、その他電源がオフになってもデータ保持可能な記憶媒体に記録される。
【００５６】
（ステップＳＣ６）
Ｍ、Ｃ及びＫのそれぞれについても上記ステップＳＢ１〜ステップＳＢ５と同様な処理を行うことで、新たなＭの片方向復動用階調補正テーブル、新たなＣの片方向復動用階調補正テーブル及び新たなＫの片方向復動用階調補正テーブルを作成して記憶媒体に記録する。即ち、テストパターンデータをテストパターン発生器１０８からドライバ回路２０に出力する工程（ステップＳＢ１）と、テストパターンデータに従ってテストパターン画像を片方向復動出力方式で出力する工程（ステップＳＢ２）と、テストパターン画像を測色計１０４によって測定し、得られた出力濃度をＲＡＭ１０３に記録していく工程（ステップＳＢ３）と、出力濃度及び片方向復動用基準特性テーブルから、テスト出力時にテストパターン発生器１０８からドライバ回路２０に入力された入力レベルと基準特性テーブルの入力レベルとの対応関係（修正テーブル）を求める工程（ステップＳＢ４）と、修正テーブルから標準階調補正テーブルを新たな片方向復動用階調補正テーブルに補正する工程（ステップＳＢ５）と、をＭ、Ｃ及びＫのそれぞれについて行う。
【００５７】
以上のステップＳＡ１〜ステップＳＡ６ように作成されたＹ、Ｍ、Ｃ及びＫについての双方向用階調補正テーブルは、画像入力装置、コンピュータといったデバイスがインクジェットプリンタ１に出力する画像データを生成するための補正処理を行う時に用いられる。そして、デバイスがＹ、Ｍ、Ｃ及びＫについての双方向用階調補正テーブルを用いて補正処理を行って画像データを生成し、生成された画像データがデバイスからインクジェットプリンタ１のドライバ回路２０に入力されると、インクジェットプリンタ１が双方向出力方式で画像データに従った画像を出力する。
【００５８】
また、以上のステップＳＢ１〜ステップＳＢ６ように作成されたＹ、Ｍ、Ｃ及びＫについての片方向往動用階調補正テーブルは、デバイスがインクジェットプリンタ１に出力する画像データを生成するための補正処理を行う時に用いられる。そして、デバイスがＹ、Ｍ、Ｃ及びＫについての片方向往動用階調補正テーブルを用いて補正処理を行って画像データを生成し、生成された画像データがデバイスからインクジェットプリンタ１のドライバ回路２０に入力されると、インクジェットプリンタ１が片方向往動出力方式で画像データに従った画像を出力する。
【００５９】
また、以上のステップＳＣ１〜ステップＳＣ６ように作成されたＹ、Ｍ、Ｃ及びＫについての片方向復動用階調補正テーブルは、デバイスがインクジェットプリンタ１に出力する画像データを生成するための補正処理を行う時に用いられる。そして、デバイスがＹ、Ｍ、Ｃ及びＫについての片方向復動用階調補正テーブルを用いて補正処理を行って画像データを生成し、生成された画像データがデバイスからインクジェットプリンタ１のドライバ回路２０に入力されると、インクジェットプリンタ１が片方向復動出力方式で画像データに従った画像を出力する。
【００６０】
ところで、インク液滴の着弾する順番によって色が異なることがある。例えば、記録媒体９９にＹのインク液滴が着弾し、そのインク液滴の上にＭのインク液滴が着弾した場合の色は、逆に記録媒体９９にＭのインク液滴が着弾し、そのインク液滴の上にＹのインク液滴が着弾した場合の色と異なる。つまり、インクジェットプリンタ１が双方向出力方式で画像出力した場合に再現される色空間と、インクジェットプリンタ１が片方向往動出力方式で画像出力した場合に再現される色空間と、インクジェットプリンタ１が片方向復動出力方式で画像出力した場合に再現される色空間とは互いに異なる。
【００６１】
しかしながら、本実施形態では、双方向出力方式、片方向往動出力方式、片方向復動出力方式それぞれで別々に階調補正テーブルを作成し、それぞれの出力方式に応じた階調補正テーブルを用いて画像データを生成している。従って、出力方式によって再現される色空間が異なっていても、同じ画像であればどの出力方式で画像出力しても、同じように色再現された画像が得られる。
ところで、インクジェットプリンタ１に紫外線硬化性インクを用いているのは、記録媒体９９がインク吸収性を有していない場合でも記録媒体９９に着弾したインク液滴が記録媒体９９上で紫外線により硬化することによって記録媒体９９に高画質の画像出力を行えることによる。記録媒体９９がインク吸収性を有していないと、インク液滴の着弾順番による色の相違は顕著に表れる。従って、双方向出力方式、片方向往動出力方式、片方向復動出力方式それぞれで別々に階調補正テーブルを作成することによって、紫外線硬化性インクを用いて画像出力を行うインクジェットプリンタ１でも出力方式による色の再現性を同じにすることができる。
【００６２】
なお、以上のように作成された双方向階調補正テーブル、片方向往動用階調補正テーブル及び片方向復動用階調補正テーブルをカラープロファイルとして磁気記憶ディスク、光磁気記憶ディスク、その他の記憶媒体に記録して、記憶媒体を通じてインクジェットプリンタ１のユーザに提供したり、双方向階調補正テーブル、片方向往動用階調補正テーブル及び片方向復動用補正テーブルをサーバに保存して、インターネットを介してインクジェットプリンタ１のユーザに提供したりすれば良い。
【００６３】
〔第二の実施の形態〕
上記第一実施形態の画像処理方法では、双方向用階調補正テーブル、片方向往動用階調補正テーブル及び片方向復動用階調補正テーブルをＹ、Ｍ、Ｃ及びＫのそれぞれについて別個に求めている。一方、第二実施形態の画像処理方法では、Ｙ、Ｍ、Ｃ及びＫを混色した場合について双方向用カラー補正テーブル、片方向用往動用カラー補正テーブル及び片方向復動用カラー補正テーブルを求める。
【００６４】
まず、第二実施形態の画像処理方法において使用する装置について説明する。この画像処理方法について使用する装置は、図１に示されたインクジェットプリンタ１及び図２に示された画像処理装置１００である。インクジェットプリンタ１は上記第一実施形態の場合と同様の構成・同様の動作をするものであるので、詳細な説明については省略する。
【００６５】
画像処理装置１００は、第一実施形態の場合と同一の構成要素（ＣＰＵ１０１、ＲＯＭ１０２、ＲＡＭ１０３、測色計１０４、Ｉ／Ｏインターフェース１０５，１０６、バス１０７及びテストパターン発生器１０８）を有しているが、これら構成要素の機能が第一実施形態の場合と異なる。以下異なる点について主に説明する。
【００６６】
ＲＯＭ１０２には、図１０に示すような標準カラー補正テーブルが記録されている。この標準カラー補正テーブルは、ＹＭＣＫの色空間で表された画像の色レベルが本来ならＲＡＭ１０３において図のような特性の目標色レベルに補正されるべきとする目標を表したテーブルである。つまり、標準カラー補正テーブルは、画像の色レベルに対して目標とする目標入力色レベルの対応関係を表したテーブルである。
【００６７】
更に、ＲＯＭ１０２には、図１１に示すような基準カラー特性テーブルが記録されている。基準カラー特性テーブルは、インクジェットプリンタ１の本来の基準カラー特性を示すテーブルである。つまり、基準カラー特性テーブルは、ドライバ回路２０が入力する入力色レベルとその入力色レベルを入力した場合にインクジェットプリンタ１から本来出力される色（Ｌ＊ａ＊ｂ＊値）との対応関係を表したテーブルである。出力される色は、均等色空間特にＣＩＥ（１９７６）−Ｌ＊ａ＊ｂ＊色空間で表されている。
【００６８】
このような基準カラー特性テーブルは、三種類準備されている。第一の基準カラー特性テーブルは、インクジェットプリンタ１が双方向出力方式で出力する場合に利用するテーブルであって、ドライバ回路２０が入力する入力色レベルとその入力レベルを入力した場合にインクジェットプリンタ１から双方向出力方式で本来出力される出力色レベルとの対応関係を表した双方向用基準カラー特性テーブルである。第二の基準カラー特性テーブルは、インクジェットプリンタ１が片方向往動出力方式で出力する場合に利用するテーブルであって、ドライバ回路２０が入力する入力色レベルとその入力色レベルを入力した場合にインクジェットプリンタ１から片方向往動出力方式で本来出力される出力色レベルとの対応関係を表した片方向往動用基準特性テーブルである。第三の基準特性テーブルは、インクジェットプリンタ１が片方向復動出力方式で出力する場合に利用するテーブルであって、ドライバ回路２０が入力する入力色レベルとその入力色レベルを入力した場合にインクジェットプリンタ１から片方向出力方式で本来出力される出力色レベルとの対応関係を表した片方向復動用基準特性テーブルである。
【００６９】
テストパターン発生器１０８は、Ｙ、Ｍ、Ｃ及びＫのそれぞれの色について０〜２５５までの２５６レベルで、Ｙ、Ｍ、Ｃ及びＫを組み合わせた合計２５６４のテストカラーパッチデータを生成して、生成したテストカラーパッチデータをＩ／Ｏインターフェース１０５を介してドライバ回路２０に出力するようになっている。ここでは、テストパターン発生器１０８は、Ｙ、Ｍ、Ｃ及びＫのそれぞれの色について３２レベル毎のテストカラーパッチデータを出力するようになっている。即ち、テストパターン発生器１０８は、Ｙ、Ｍ、Ｃ及びＫのそれぞれの色について０レベル、３２レベル、６４レベル、９６レベル、１２８レベル、１６０レベル、１９２レベル、２２４レベル、２５５レベルの計６５６１段からなるのテストカラーパッチデータをＩ／Ｏインターフェース１０５を介してドライバ回路２０に出力するようになっている。なお、ドライバ回路２０は、通常の出力動作と同様に、テストカラーパッチデータに従ってヘッド５〜８、搬送機構及びキャリッジ１１を制御することによってテストパターン画像を記録媒体９９に出力するようになっている。
【００７０】
測色計１０４はＣＣＤカメラ、分光光度計等である。この測色計１０４は図１に示すようにキャリッジ１１よりも搬送方向Ｂ下流側に配置され、記録媒体９９に記録されたカラーパッチ画像を測色するようになっている。更に、測色計１０４は、測色結果をＬ＊ａ＊ｂ＊色空間でＩ／Ｏインターフェース１０６に出力するようになっている。測色計１０４からＩ／Ｏインターフェース１０６に出力された測色結果は、ＣＰＵ１０１の処理によってＬ＊ａ＊ｂ＊色空間でＲＡＭ１０３に一時的に記録されるようになっている。この測色結果はＣＰＵ１０１の処理に用いられる。
【００７１】
次に、画像処理装置１００の動作、画像処理装置１００の動作に基づいた画像処理方法について説明する。
【００７２】
（ステップＳＤ１）
まず、双方向出力方式のインクジェットプリンタ１のカラー出力特性をテストするために、テストパターン発生器１０８によりテストカラーパッチデータを生成し、発生したテストカラーパッチデータを通常の画像データの代わりにドライバ回路２０に出力する。つまり、テストパターン発生器１０８は、Ｙ、Ｍ、Ｃ及びＫのそれぞれの色について０レベル、３２レベル、６４レベル、９６レベル、１２８レベル、１６０レベル、１９２レベル、２２４レベル、２５５レベルの計６５６１段からなるのテストカラーパッチデータをドライバ回路２０に出力する。
【００７３】
（ステップＳＤ２）
そして、ドライバ回路２０がテストカラーパッチデータに従って搬送機構、キャリッジ２０、ヘッド５〜８及び紫外線照射機構９，１０を制御すると、インクジェットプリンタ１が双方向出力方式で記録媒体９９上にテストカラーパッチ画像を出力する。図１２は、出力されたテストカラーパッチ画像の一例である。図１２に示すように、テストカラーパッチパターン画像は、ＹＭＣＫそれぞれ９段の濃度が組み合わせられて合計６５６１段で表された画像である。
【００７４】
（ステップＳＤ３）
次に、こうして出力されたテストカラーパッチ画像を測色計１０４によって測色し、得られた測色結果を測色計１０４からＩ／Ｏインターフェース１０６に出力する。そして、ＣＰＵ１０１が測色計１０４から測色結果をＲＡＭ１０３に記録していく。図１３は、インクジェットプリンタ１がテスト出力した場合のカラー出力特性（テストカラー出力特性テーブル）を示した図である。図１３において、テストカラーパッチデータの入力色レベルであってテストパターン発生器１０８からドライバ回路に入力した入力色レベルに対して、測色計１０４によって測定されたテストカラーパッチ画像の出力色レベルであってＲＡＭ１０３に記録された出力色レベル（双方向測色データ）が対応づけされている。
【００７５】
（ステップＳＤ４）
次に、ＣＰＵ１０１が図１１に示された双方向用基準カラー特性テーブルを読み出す。そして、ＣＰＵ１０１は、ＲＡＭ１０３に記憶された出力色レベル及び双方向用基準カラー特性テーブルから、テスト出力時にテストパターン発生器１０８からドライバ回路２０に入力された入力色レベルと双方向用基準カラー特性テーブルの入力色レベルとの対応関係を求める。つまり、ＣＰＵ１０１が同一出力色レベルに対応する双方向用基準カラー特性テーブルの入力色レベルとテスト出力特性の入力色レベルとの対応関係を求める。図１４は、このようにして求められたテーブルであって、双方向用基準カラー特性テーブルの入力色レベルとテスト出力特性の入力色レベルとの関係を表した修正カラーテーブルである。
【００７６】
（ステップＳＤ５）
次に、ＣＰＵ１０１が図１０に示された標準カラー補正テーブルを読み出す。そして、ＣＰＵ１０１は、図１４の修正カラーテーブルから標準カラー補正テーブルを新たなカラー補正テーブルに補正する。即ち、標準カラー補正テーブルで読み取った目標の入力色レベルの各値を図１４の修正カラーテーブルの基準カラー特性の入力色レベルにおきかえ、その修正カラーテーブルに従って図１０の目標入力色レベルをテストカラーパッチデータの入力色レベルに変換していく。これにより、ＣＰＵ１０１は、図１５に示すような、画像の色レベルとテストカラーパッチデータの入力色レベルとの対応関係を表した新たな双方向用カラー補正テーブルを作成する。図９の新たな双方向用カラー補正テーブルによれば、実際に使用する画像の色レベルと、双方向出力方式で動作するインクジェットプリンタ１に常に理想的な出力特性を得るべく特性変換された入力レベルとの対応関係を得られたことになる。作成した新たな双方向用カラー補正テーブルは、ＣＰＵ１０１の処理によって、不揮発性メモリ、磁気記憶ディスク、光磁気記憶ディスク、その他電源がオフになってもデータ保持可能な記憶媒体に記録される。
【００７７】
（ステップＳＥ１）
以上のステップＳＤ１〜ステップＳＤ６は新たな双方向用カラー補正テーブルを作成するための処理の流れであるが、その後以下に詳説するような処理を行うことによって、新たな片方向往動用カラー補正テーブルを作成する。
まず、片方向往動出力方式のインクジェットプリンタ１の特性をテストするために、上記ステップＳＡ１と同様に、テストパターン発生器１０８によりテストカラーパッチデータを生成し、発生したテストカラーパッチデータを通常の画像データの代わりにドライバ回路２０に出力する。つまり、テストパターン発生器１０８は、Ｙ、Ｍ、Ｃ及びＫのそれぞれの色について０レベル、３２レベル、６４レベル、９６レベル、１２８レベル、１６０レベル、１９２レベル、２２４レベル、２５５レベルの計６５６１段からなるのテストカラーパッチデータをドライバ回路２０に出力する。
【００７８】
（ステップＳＥ２）
そして、ドライバ回路２０がテストパターンデータに従って搬送機構、キャリッジ２０、ヘッド５〜８及び紫外線照射機構９，１０を制御すると、インクジェットプリンタ１が片方向往動出力方式で記録媒体９９上にテストカラーパッチ画像を出力する。ステップＳＥ２が上記ステップＳＤ２と異なる点は、上記ステップＳＤ２ではインクジェットプリンタ１が双方向出力方式でテストカラーパッチ画像を出力していたのに対し、ステップＳＥ２ではインクジェットプリンタ１が片方向往動出力方式でテストカラーパッチ画像を出力することである。
【００７９】
（ステップＳＥ３）
次に、こうして出力されたテストカラーパッチ画像を上記ステップＳＤ３と同様に測色計１０４によって測色し、得られた測色結果を測色計１０４からＩ／Ｏインターフェース１０６に出力する。そして、ＣＰＵ１０１は測色計１０４から入力した測色結果である出力色レベルをＲＡＭ１０３に記録していく。
【００８０】
（ステップＳＥ４）
次に、ＣＰＵ１０１が図１１に示された片方向往動用基準カラー特性テーブルを読み出す。そして、ＣＰＵ１０１は、上記ステップＳＤ４と同様に、ＲＡＭ１０３に記憶された出力色レベル及び片方向往動用基準カラー特性テーブルから、テスト出力時にテストパターン発生器１０８からドライバ回路２０に入力された入力色レベルと片方向往動用基準カラー特性テーブルの入力色レベルとの対応関係を表した修正カラーテーブルを求める。ステップＳＥ４が上記ステップＳＤ４と異なる点は、上記ステップＳＤ４では双方向用基準カラー特性テーブルを用いていたのに対し、ステップＳＥ４では片方向往動用基準カラー特性テーブルを用いていることである。
【００８１】
（ステップＳＥ５）
次に、ＣＰＵ１０１が図１０に示された標準カラー補正テーブルを読み出す。そして、ＣＰＵ１０１は、ステップＳＥ４で得られた修正カラーテーブルから標準カラー補正テーブルを新たな階調補正テーブルに補正する。これにより、ＣＰＵ１０１は、画像の色レベルとテストカラーパッチデータの入力色レベルとの対応関係を表した片方向往動用カラー補正テーブルを作成する。作成した新たなＹの片方向往動用カラー補正テーブルは、ＣＰＵ１０１の処理によって、不揮発性メモリ、磁気記憶ディスク、光磁気記憶ディスク、その他電源がオフになってもデータ保持可能な記憶媒体に記録される。
【００８２】
（ステップＳＦ１）
以上のステップＳＥ１〜ステップＳＥ６は新たな片方向往動用カラー補正テーブルを作成するための処理の流れであるが、その後以下に詳説するような処理を行うことによって、新たな片方向復動用カラー補正テーブルを作成する。
まず、片方向復動出力方式のインクジェットプリンタ１の特性をテストするために、上記ステップＳＤ１と同様に、テストパターン発生器１０８によりテストカラーパッチデータを生成し、発生したテストカラーパッチデータを通常の画像データの代わりにドライバ回路２０に出力する。つまり、テストパターン発生器１０８は、Ｙ、Ｍ、Ｃ及びＫのそれぞれの色について０レベル、３２レベル、６４レベル、９６レベル、１２８レベル、１６０レベル、１９２レベル、２２４レベル、２５５レベルの計６５６１段からなるのテストカラーパッチデータをドライバ回路２０に出力する。
【００８３】
（ステップＳＦ２）
そして、ドライバ回路２０がテストカラーパッチデータに従って搬送機構、キャリッジ２０、ヘッド５〜８及び紫外線照射機構９，１０を制御すると、インクジェットプリンタ１が片方向復動出力方式で記録媒体９９上にテストカラーパッチ画像を出力する。ステップＳＦ２が上記ステップＳＤ２と異なる点は、上記ステップＳＡ２ではインクジェットプリンタ１が双方向出力方式でテストカラーパッチ画像を出力していたのに対し、ステップＳＦ２ではインクジェットプリンタ１が片方向復動出力方式でテストカラーパッチ画像を出力することである。
【００８４】
（ステップＳＦ３）
次に、こうして出力されたテストカラーパッチ画像を上記ステップＳＤ３と同様に測色計１０４によって測色し、得られた測色結果を測色計１０４からＩ／Ｏインターフェース１０６に出力する。そして、ＣＰＵ１０１は測色計１０４から入力した測色結果である出力色レベルをＲＡＭ１０３に記録していく。
【００８５】
（ステップＳＦ４）
次に、ＣＰＵ１０１が図１１に示された片方向復動用基準カラー特性テーブルを読み出す。そして、ＣＰＵ１０１は、上記ステップＳＤ４と同様に、ＲＡＭ１０３に記憶された出力色レベル及び片方向復動用基準カラー特性テーブルから、テスト出力時にテストパターン発生器１０８からドライバ回路２０に入力された入力色レベルと片方向往動用基準カラー特性テーブルの入力色レベルとの対応関係を表した修正カラーテーブルを求める。ステップＳＦ４が上記ステップＳＤ４と異なる点は、上記ステップＳＤ４では双方向用基準カラー特性テーブルを用いていたのに対し、ステップＳＦ４では片方向復動用基準カラー特性テーブルを用いていることである。
【００８６】
（ステップＳＦ５）
次に、ＣＰＵ１０１が図１０に示された標準カラー補正テーブルを読み出す。そして、ＣＰＵ１０１は、ステップＳＦ４で得られた修正カラーテーブルから標準カラー補正テーブルを新たな階調補正テーブルに補正する。これにより、ＣＰＵ１０１は、画像の色レベルとテストカラーパッチデータの入力色レベルとの対応関係を表した片方向復動用カラー補正テーブルを作成する。作成した新たなＹの片方向復動用カラー補正テーブルは、ＣＰＵ１０１の処理によって、不揮発性メモリ、磁気記憶ディスク、光磁気記憶ディスク、その他電源がオフになってもデータ保持可能な記憶媒体に記録される。
【００８７】
以上のステップＳＤ１〜ステップＳＤ５ように作成された双方向用カラー補正テーブルは、種々のデバイスがインクジェットプリンタ１に出力する画像データを生成するための補正処理を行う時に用いられる。そして、デバイスが双方向用カラー補正テーブルを用いて補正処理を行って画像データを生成し、生成された画像データがデバイスからインクジェットプリンタ１のドライバ回路２０に入力されると、インクジェットプリンタ１が双方向出力方式で画像データに従った画像を出力する。
【００８８】
また、以上のステップＳＥ１〜ステップＳＥ５ように作成された片方向往動用カラー補正テーブルは、デバイスがインクジェットプリンタ１に出力する画像データを生成するための補正処理を行う時に用いられる。そして、デバイスが片方向往動用カラー補正テーブルを用いて補正処理を行って画像データを生成し、生成された画像データがデバイスからインクジェットプリンタ１のドライバ回路２０に入力されると、インクジェットプリンタ１が片方向往動出力方式で画像データに従った画像を出力する。
【００８９】
また、以上のステップＳＦ１〜ステップＳＦ５ように作成された片方向往動用カラー補正テーブルは、デバイスがインクジェットプリンタ１に出力する画像データを生成するための補正処理を行う時に用いられる。そして、デバイスが片方向復動用カラー補正テーブルを用いて補正処理を行って画像データを生成し、生成された画像データがデバイスからインクジェットプリンタ１のドライバ回路２０に入力されると、インクジェットプリンタ１が片方向復動出力方式で画像データに従った画像を出力する。
【００９０】
第二実施形態でも第一実施形態と同様に、双方向出力方式、片方向往動出力方式、片方向復動出力方式それぞれで別々にカラー補正テーブルを作成し、それぞれの出力方式に応じたカラー補正テーブルを用いて画像データを生成している。従って、出力方式によって再現される色空間が異なっていても、同じ画像であればどの出力方式で画像を出力しても、同じように色再現された画像が得られる。特に、Ｙ、Ｍ、Ｃ及びＫのそれぞれについて別個に行っているのではなく、Ｙ、Ｍ、Ｃ及びＫを混色した場合についてカラー補正テーブルを作成しているので、色再現性がより良く、階調性の優れた画像を出力することができるとともに、色斑のない画像を出力することができる。
【００９１】
以上のように作成された双方向カラー補正テーブル、片方向往動用カラー補正テーブル及び片方向復動用カラー補正テーブルをカラープロファイルとして記憶媒体を通じてインクジェットプリンタ１のユーザに提供したり、インターネットを介してインクジェットプリンタ１のユーザに提供したりすれば良い。
【００９２】
なお、本発明は、上記実施の形態に限定されることなく、本発明の趣旨を逸脱しない範囲において、種々の改良並びに設計の変更を行っても良い。
例えば、第一実施形態の画像処理方法を行った後に第二実施形態の画像処理方法を行っても良い。また、片方向出力方式の補正テーブルは、何れの実施形態でも往動用と復動用の両方を作成したが、片方だけであっても良い。また、インクジェットプリンタ１に用いるインクの色はプロセスカラーのＹＭＣＫのみならず、他の色を加えても良い。
【００９３】
【発明の効果】
請求項１に記載の発明によれば、画像データを各色の双方向用補正テーブルに基づいて補正し、補正した画像データに基づきインクジェットプリンタによって双方向出力方式で画像を記録媒体に出力した場合でも、画像データを各色の片方向用補正テーブルに基づいて補正し、補正した画像データに基づきインクジェットプリンタによって片方向出力方式で画像を記録媒体に出力した場合でも、出力画像の色再現性を同じようにすることができる。
【００９４】
請求項２に記載の発明によれば、画像データを各色の往動用補正テーブルに基づいて補正し、補正した画像データに基づきインクジェットプリンタによって片方向往動出力方式で画像を記録媒体に出力した場合でも、画像データを各色の復動用補正テーブルに基づいて補正し、補正した画像データに基づきインクジェットプリンタによって片方向復動出力方式で画像を記録媒体に出力した場合でも、出力画像の色再現性を同じようにすることができる。
【００９５】
請求項３に記載の発明によれば、画像データを双方向用カラー補正テーブルに基づいて補正し、補正した画像データに基づきインクジェットプリンタによって双方向出力方式で画像を記録媒体に出力した場合でも、画像データを片方向用カラー補正テーブルに基づいて補正し、補正した画像データに基づきインクジェットプリンタによって片方向出力方式で画像を記録媒体に出力した場合でも、出力画像の色再現性を同じようにすることができる。
【００９６】
請求項４に記載の発明によれば、画像データを往動用カラー補正テーブルに基づいて補正し、補正した画像データに基づきインクジェットプリンタによって片方向往動出力方式で画像を記録媒体に出力した場合でも、画像データを復動用カラー補正テーブルに基づいて補正し、補正した画像データに基づきインクジェットプリンタによって片方向復動出力方式で画像を記録媒体に出力した場合でも、出力画像の色再現性を同じようにすることができる。
【図面の簡単な説明】
【図１】本実施形態の画像処理方法に用いられるインクジェットプリンタを示した斜視図である。
【図２】本実施形態の画像処理方法に用いられるインクジェットプリンタ及び画像処理装置を示したブロック図である。
【図３】Ｙ、Ｍ、Ｃ及びＫのそれぞれの標準階調補正テーブルの一例を示した図である。
【図４】Ｙ、Ｍ、Ｃ及びＫのそれぞれの基準特性テーブルの一例を示した図である。
【図５】上記インクジェットプリンタで出力したテストパターン画像の一例を示した図である。
【図６】上記インクジェットプリンタのテスト出力特性の一例を示した図である。
【図７】上記インクジェットプリンタのテスト出力特性と基準特性とを比較して示した図である。
【図８】双方向用基準特性テーブルの入力レベルとテスト出力特性の入力レベルとの関係を表した修正テーブルの一例を示した図である。
【図９】補正された新たな階調補正テーブルの一例を示した図である。
【図１０】標準カラー補正テーブルの一例を示した図である。
【図１１】基準カラー特性テーブルの一例を示した図である。
【図１２】上記インクジェットプリンタで出力したテストカラーパッチ画像の一例を示した図である。
【図１３】上記インクジェットプリンタのテストカラー出力特性の一例を示した図である。
【図１４】双方向用基準カラー特性テーブルの入力色レベルとテスト出力特性の入力色レベルとの関係を表した修正カラーテーブルの一例を示した図である。
【図１５】補正された新たなカラー補正テーブルの一例を示した図である。
【符号の説明】
１  …  インクジェットプリンタ
５、６、７、８  …  ヘッド
２０  …  ドライバ回路
１００  …  画像処理装置
１０１  …  ＣＰＵ
１０２  …  ＲＯＭ
１０３  …  ＲＡＭ
１０４  …  測色計
１０８  …  テストパターン発生器
【図１】
2004299056.tif 000003
【図２】
2004299056.tif 000004
【図３】
2004299056.tif 000005
【図４】
2004299056.tif 000006
【図５】
2004299056.tif 000007
【図６】
2004299056.tif 000008
【図７】
2004299056.tif 000009
【図８】
2004299056.tif 000010
【図９】
2004299056.tif 000011
【図１０】
2004299056.tif 000012
【図１１】
2004299056.tif 000013
【図１２】
2004299056.tif 000014
【図１３】
2004299056.tif 000015
【図１４】
2004299056.tif 000016
【図１５】
2004299056.tif 000017